(57)【要約】  本発明は、宇宙打ち上げロケットのコンポジットを分離するためのシステム（１０）に関し、分離されるコンポジット間に分散された非火工式分離モジュール（１２）と、分離モジュール（１２）のすべての同時作動を可能にする、分離モジュール（１２）を作動させるための装置（１４）とを備える。作動装置（１４）が圧縮ガス源からなり、その出口が各分離モジュール（１２）に接続されていることを特徴とする。
2021504247.tif 000002
【特許請求の範囲】
【請求項１】
宇宙打ち上げロケットのコンポジットのための分離システム（１０）であって、分離システム（１０）は、
分離するコンポジット間に分配された非火工式分離モジュール（１２）と、
全ての分離モジュール（１２）の同時作動を引き起こすことができる、前記分離モジュール（１２）を作動する作動装置（１４）であって、圧縮ガス源で構成され、前記作動装置の出口は、各分離モジュール（１２）に接続されている、作動装置（１４）と、
を備え、
各分離モジュール（１２）は、加圧流体のエネルギーを使用して前記コンポジットの分離を引き起こし、かつ
油空圧変換器（１８）が前記作動装置（１４）および前記分離モジュール（１２）の間に挿入され、各分離モジュール（１２）は、油圧管路（２４）によって前記油空圧変換器に接続されていることを特徴とする、分離システム（１０）。
【請求項２】
前記作動装置（１４）が前記分離モジュール（１２）の近くのコンポジットに取り付けられている、請求項１に記載の分離システム（１０）。
【請求項３】
前記油空圧変換器（１８）は、前記分離モジュール（１２）の近くのコンポジットに取り付けられている、請求項１または２に記載の分離システム（１０）。
【発明の詳細な説明】
【技術分野】
【０００１】
本発明は、いくつかのポイントで同時に作用することを意図した、宇宙打ち上げロケットのコンポジットを分離するためのシステムに関する。
【背景技術】
【０００２】
最近の宇宙打ち上げロケットの開発プログラムの結果、火工式分離手段の数が減少している。
【０００３】
また、火工式分離システムは解体するのが容易ではないため、地上での介入を複雑にし、オペレーターによるアクセスはさらに特に困難である。
【０００４】
さらに、これらの各火工式システムは、関連する制御デバイスに関連付けられており、制御デバイスは、ロケット内の重要な数の電気信号の管理を行う。
【発明の概要】
【発明が解決しようとする課題】
【０００５】
本発明の目的は、先行技術と比較して単純化された設計であり、複数の分離ポイントの作動を制御する電気信号の数が低減される、宇宙打ち上げロケットのコンポジットを分離するシステムを提案することである。
【課題を解決するための手段】
【０００６】
本発明は、宇宙打ち上げロケットのコンポジットを分離するためのシステムに関し、分離するコンポジット間に分配された非火工式分離モジュールと、すべての分離モジュールの同時作動を引き起こすことができる分離モジュールを作動させるための装置とを備え、作動装置が圧縮ガス源で構成され、その出口が各分離モジュールに接続されていることを特徴とする。
【０００７】
好ましくは、各分離モジュールは、圧縮ガスの流れのエネルギーを使用して、コンポジットの分離を引き起こす。
【０００８】
好ましくは、作動装置の出力は、空気圧管路によって各分離モジュールに直接接続される。
【０００９】
好ましくは、各分離モジュールは、加圧流体のエネルギーを使用して、コンポジットの分離を引き起こす。
【００１０】
好ましくは、作動装置の出力は、油圧管路によって各分離モジュールに接続される。
【００１１】
好ましくは、油空圧変換器が作動装置と分離モジュールとの間に挿入され、各分離モジュールは、油圧管路によって油空圧変換器に接続される。
【００１２】
好ましくは、作動装置は、分離モジュールの近くのコンポジットに取り付けられる。
【００１３】
好ましくは、油空圧変換器は、分離モジュールの近くのコンポジットに取り付けられる。
【００１４】
本発明の他の特徴および利点は、以下の詳細な説明を読むことにより明らかになるであろう。その理解のために、添付図面を参照する必要がある。
【図面の簡単な説明】
【００１５】
【図１】宇宙打ち上げロケットのコンポジットを分離するためのシステムの第一実施形態の概略図である。
【図２】宇宙打ち上げロケットのコンポジットを分離するためのシステムの第二実施形態の概略図である。
【発明を実施するための形態】
【００１６】
図には、宇宙打ち上げロケットのステージとも呼ばれるコンポジットの分離システム１０が示されている。
【００１７】
以下の説明では、２つの隣接するコンポジットを分離するためのシステムが参照される。この説明は、打ち上げロケットの２つ以上のコンポジットの分離を可能にする分離システム１０に適用されることが理解されよう。
【００１８】
打ち上げロケットの２つのコンポジットはそれぞれ円筒シェルを備えており、２つのシェルは互いに端と端が取り外し可能な方法で組み立てられている。発射フェーズの過程で、２つのコンポジットは、制御された方法で２つのシェルを分離することによって分離される。
【００１９】
分離システム１０は、特に２つのシェル間の接続を終了することにより、コンポジットを分離するために製造される分離モジュール１２を含む。
【００２０】
分離モジュール１２は、非火工式タイプであり、すなわち、２つのシェルの分離を引き起こすために装薬の爆発を使用しないものである。これにより、オペレーターのリスクなしに、地上での介入を安全に行うことができる。
【００２１】
また、このような分離モジュール１２は一般に可逆的であるため、各試験後に分離モジュールや構成要素等を変更する必要なく、地上で分離の試験を実施することが可能になる。
【００２２】
良好な状態での分離を可能にするために、分離モジュール１２は、２つのシェル間の接続に沿って均一な方法で分散されている。
【００２３】
分離システム１０はまた、すべての分離モジュール１２の同時作動を引き起こすことができる分離モジュール１２を作動させるための作動装置１４を含む。
【００２４】
この作動装置１４は、信号伝送ライン２２によって打ち上げロケットの一部を形成する電子制御装置２０に接続されている。電子制御装置２０は、単一の制御信号を作動装置１４に送信して、すべての分離モジュール１２を起動させる。
【００２５】
作動装置１４および制御装置２０によって形成されるアセンブリは、打ち上げロケット全体の単一の信号伝送ライン２２上で単一の電気信号のみを使用することを可能にし、それにより各分離モジュールの信号伝送ラインを含む実施形態と比較して打ち上げロケットの複雑さを低減することを可能にする。
【００２６】
作動装置１４は、圧縮ガス源からなり、その出口は、各分離モジュール１２に接続されている。
【００２７】
第１の実施形態によれば、作動装置１４は、シェルの分離に関連する電気信号が電子制御装置２０によって送信される場合に、分離モジュール１２に接続された出口が開く加圧ガスタンクからなる。
【００２８】
第２の実施形態によれば、作動装置１４は、シェルの分離に関連する電気信号が電子制御装置２０によって送信される場合に、点火後にガスを生成する火工式装置である。
【００２９】
図１に示される第１の実施形態によれば、分離モジュール１２は、空気圧式タイプであり、すなわち、各分離モジュール１２は、圧縮ガスの流れのエネルギーを使用して、コンポジットおよび／またはそれらのシェルの分離を引き起こす。
【００３０】
非限定的な例として、各分離モジュール１２は、異なる取り付けポイントの１つに対応し、したがって、そのディスペンサーからの衛星の分離ポイントに対応する。
【００３１】
この実施形態によれば、作動装置１４は、空気圧管路１６によって各分離モジュール１２に直接接続される。
【００３２】
すべての分離モジュール１２の同時作動を可能にするために、空気圧管路１６は、好ましくは同じ長さである。
【００３３】
好ましくは、作動装置１４は、分離モジュール１２の近くの２つのコンポジットの一方の内部に配置される。したがって、分離システム１０が分離モジュール１２と同じ数の空気圧管路１６を含む場合でも、これらの空気圧管路１６の長さは、分離モジュール１２と電子制御装置との間の距離と比較して制限される。
【００３４】
図２に示される第２の実施形態によれば、分離モジュール１２は、油圧式であり、すなわち、各分離モジュール１２は、加圧流体のエネルギーを使用して、コンポジットおよび／またはそれらのシェルの分離を引き起こす。
【００３５】
この第２の実施形態によれば、分離システム１０は、作動装置１４と分離モジュール１２との間に挿入された油空圧変換器１８を含む。
【００３６】
この油空圧変換器１８は、作動装置１４によって生成された加圧ガスの空気圧エネルギーによって作動され、この空気圧エネルギーを分離モジュール１２に供給する油圧エネルギーに変換する。
【００３７】
したがって、作動装置１４の出口は、空気圧管路１６によって油空圧変換器１８に接続され、各分離モジュール１２は、関連する油圧管路２４によって油空圧変換器１８に接続される。
【００３８】
第１の実施形態と同様に、すべての分離モジュール１２の同時作動を可能にするために、油圧管路２４は、好ましくは同じ長さである。
【００３９】
ここでもまた、好ましくは、作動装置１４は、分離モジュール１２に近い２つのコンポジットのうちの１つの内部に配置される。
【００４０】
その結果、油空圧変換器１８は、分離モジュール１２の近くで、作動装置を支持するこの同じコンポジットの内部に配置される。
【００４１】
代替の実施形態によれば、作動装置は、分離モジュールから距離を置いて配置され、分離モジュール１２の近くのコンポジット上に配置されるのは、油空圧変換器１８のみである。
【００４２】
したがって、分離システム１０が分離モジュール１２と同じ数の油圧管路２４を含む場合でも、これらの油圧管路２４の長さは、分離モジュール１２と電子制御装置との間の距離と比較して制限される。
【００４３】
前に述べたように、分離システム１０は、２つの打ち上げロケットコンポジットを分離するために、また３つ以上のコンポジットを分離するために実装されてもよい。
【００４４】
分離システム１０が３つ以上のコンポジットの分離に使用される場合、これらのコンポジットは、分離されるコンポジットのシェルに関連する分離モジュール１２に、作動装置１４、および任意選択で油空圧変換器１８を接続することによって同時に分離され得る。
【００４５】
分離システム１０の構成要素は、その製造コストを制限することを可能にする日常的な設計のものである。
【符号の説明】
【００４６】
１０  分離システム
１２  分離モジュール
１４  作動装置
１６  空気圧管路
１８  油空圧変換器
２０  電子制御装置
２２  信号伝送ライン
２４  油圧管路
【図１】
2021504247.tif 000003
【図２】
2021504247.tif 000004
【国際調査報告】
2021504247.tif 000005
2021504247.tif 000006
2021504247.tif 000007
2021504247.tif 000008
2021504247.tif 000009
2021504247.tif 000010